(57)【要約】【課題】  太陽光と地熱との両方の特徴を組み合わせた自然力を利用して建物の温度調節を図った自然エネルギ利用の換気システムを提供する。【解決手段】  ソーラーウォール（３）からのソーラーウォール側給気エア（１３）を第１の温度センサ(２８）により検出し、地熱チューブ（１６）からの地熱側給気エア（２７）を第２の温度センサ(２９）により検出する。前記各温度センサ(２８）(２９）により検出された温度に基づいて前記建物（１）内の温度が目標温度になるように切換弁及び送風ファン（２５）を作動制御して、ソーラーウォール側給気エア（１３）又は地熱側給気エア（２７）の一方、若しくはこれらの混合気を前記建物（１）内に給気する。【選択図】              図１
2005221101.tif 000002
【特許請求の範囲】
【請求項１】
建物の内外に連通する第１の通風路が内部に形成され且つ外壁面が太陽光により加熱さ
れることにより前記第１の通風路内の空気を加熱可能なソーラーウォールと、
前記建物の内外に連通する第２の通風路が内部に形成され且つ地中に熱交換部を有する
地熱チューブと、
前記第１，第２の通風路と前記建物内とを連通させる第３の通風路と、
前記第３の風路と前記第１，第２の通風路との間に介装された切換弁と、
前記第１，第２の通風路に導入される外気を前記第３の通風路を介して前記建物内に送
風する送風手段と、
前記送風手段により前記第１の通風路を介して前記建物内に給気されるウォール側給気
エアの温度を検出する第１の温度センサと、
前記送風手段により前記第２の通風路を介して前記建物内に給気される地熱側給気エア
の温度を検出する第２の温度センサと、
前記各温度センサからの検出温度に基づいて前記切換弁及び前記送風手段を作動制御す
る制御手段と、
前記制御手段に前記建物内の目標温度を入力する温度設定手段を有する自然エネルギ利
用の換気システムであって、
前記制御手段が、前記各温度センサにより検出された温度に基づいて前記建物内の温度
が目標温度になるように前記切換弁及び前記送風手段を作動制御して、前記ウォール側給
気エア又は地熱側給気エアの一方、若しくは前記ウォール側給気エア及び地熱側給気エア
の混合気を前記建物内に給気することを特徴とする自然エネルギ利用の換気システム。
【請求項２】
前記制御手段が、前記各温度センサにより検出された温度に基づいて前記建物内の温度
が目標温度になるように前記切換弁及び前記送風手段を作動制御して、冬季には高い方の
給気を屋内に導き、夏季には低い方の給気を屋内に導くことを特徴とする請求項１に記載
の自然エネルギ利用の換気システム。
【請求項３】
前記制御手段が、一日の時間の経過に応じて前記各温度センサにより検出された温度に
基づいて前記建物内の温度が目標温度になるように前記切換弁及び前記送風手段を作動制
御して、冬季には高い方の給気を屋内に導き、夏季には低い方の給気を屋内に導くことを
特徴とする請求項１に記載の自然エネルギ利用の換気システム。
【請求項４】
建物の内外に連通する第１の通風路が内部に形成され且つ外壁面が太陽光により加熱さ
れることにより前記第１の通風路内の空気を加熱可能なソーラーウォールと、
前記建物の内外に連通する第２の通風路が内部に形成され且つ地中に熱交換部を有する
地熱チューブと、
前記第１の通風路に導入される外気を前記建物内に送風する第１の送風手段と、
前記第２の通風路に導入される外気を前記建物内に送風する第２の送風手段と、
前記送風手段により前記第１の通風路を介して前記建物内に給気されるウォール側給気
エアの温度を検出する第１の温度センサと、
前記送風手段により前記第２の通風路を介して前記建物内に給気される地熱側給気エア
の温度を検出する第２の温度センサと、
前記各温度センサからの検出温度に基づいて前記第１，第２の送風手段を作動制御する
制御手段と、
前記制御手段に前記建物内の目標温度を入力する温度設定手段を有する自然エネルギ利
用の換気システムであって、
前記制御手段が、前記各温度センサにより検出された温度に基づいて前記建物内の温度
が目標温度になるように前記第１，第２の送風手段を作動制御して、前記ウォール側給気
エア又は地熱側給気エアの一方、若しくは前記ウォール側給気エア及び地熱側給気エアの
混合気を前記建物内に給気することを特徴とする自然エネルギ利用の換気システム。
【請求項５】
建物の内外に連通する第１の通風路が内部に形成され且つ外壁面が太陽光により加熱さ
れることにより前記第１の通風路内の空気を加熱可能なソーラーウォールと、
前記建物の内外に連通する第２の通風路が内部に形成され且つ地中に熱交換部を有する
地熱チューブと、
前記第１，第２の通風路と前記建物内とを連通させる第３の風路と、
前記第３の風路と前記第１，第２の通風路との間に介装された切換弁と、
前記第１，第２の通風路に導入される外気を前記第３の通風路を介して前記建物内に送
風する第１の送風手段と、
前記第２の通風路の前記切換弁側の端部に設けられて外気に連通する分岐風路と、
前記分岐風路途中に設けられた開閉弁と、
前記分岐風路のエアを外気に送風する第２の送風手段と、
前記送風手段により前記第１の通風路を介して前記建物内に給気されるウォール側給気
エアの温度を検出する第１の温度センサと、
前記送風手段により前記第２の通風路を介して前記建物内に給気される地熱側給気エア
の温度を検出する第２の温度センサと、
前記各温度センサからの検出温度に基づいて前記切換弁，前記開閉弁及び前記送風手段
を作動制御する制御手段と、
前記制御手段に前記建物内の目標温度を入力する温度設定手段を有する自然エネルギ利
用の換気システムであって、
前記制御手段が、前記各温度センサにより検出された温度に基づいて前記建物内の温度
が目標温度になるように前記開閉弁及び前記送風手段を作動制御して、前記ウォール側給
気エア又は地熱側給気エアの一方、若しくは前記ウォール側給気エア及び地熱側給気エア
の混合気を前記建物内に給気可能に設けられていると共に、前記切換弁で第２の通風路の
建物内への連通を遮断し且つ前記開閉弁を開いて前記第２の送風手段を作動制御すること
により、前記外気を地熱チューブ内に循環させて地面内に蓄熱可能に設けられていること
を特徴とする自然エネルギ利用の換気システム。
【請求項６】
建物の内外に連通する第１の通風路が内部に形成され且つ外壁面が太陽光により加熱さ
れることにより前記第１の通風路内の空気を加熱可能なソーラーウォールと、
前記建物の内外に連通する第２の通風路が内部に形成され且つ地中に熱交換部を有する
地熱チューブと、
前記地熱チューブの建物側端部に形成されて前記建物内に連通する第１分岐風路及び外
気に連通する第２分岐風路と、
前記第１の通風路に導入される外気を前記建物内に送風する第１の送風手段と、
前記第２の通風路に導入される外気を前記分岐風路に送風する第２の送風手段と、
前記各分岐風路にそれぞれ設けられた第１，第２の開閉弁と、
前記送風手段により前記第１の通風路を介して前記建物内に給気されるウォール側給気
エアの温度を検出する第１の温度センサと、
前記送風手段により前記第２の通風路を介して前記建物内に給気される地熱側給気エア
の温度を検出する第２の温度センサと、
前記各温度センサからの検出温度に基づいて前記第１，第２開閉弁と前記第１，第２の
送風手段を作動制御する制御手段と、
前記制御手段に前記建物内の目標温度を入力する温度設定手段を有する自然エネルギ利
用の換気システムであって、
前記制御手段が、前記各温度センサにより検出された温度に基づいて前記建物内の温度
が目標温度になるように前記開閉弁及び前記第１，第２の送風手段を作動制御して、前記
ウォール側給気エア又は地熱側給気エアの一方、若しくは前記ウォール側給気エア及び地
熱側給気エアの混合気を前記建物内に給気可能に設けられていると共に、前記第１開閉弁
を閉成し且つ第２開閉弁を開いて前記第２の送風手段を作動制御することにより、前記外
気を地熱チューブ内に循環させて地面内に蓄熱可能に設けられていることを特徴とする自
然エネルギ利用の換気システム。
【発明の詳細な説明】
【技術分野】
【０００１】
本発明は、自然エネルギを利用し建物内の換気をして、建物内の空気調節を行うように
した自然エネルギ利用の換気システムに関するものである。
【背景技術】
【０００２】
住宅等の建物内の空調をする手段として、自然力としての地熱を利用するシステムが提
案されている。このシステムは、地中に埋設したパイプで熱交換したエアを建物内に送風
することで、建物内の暖房又は冷房をしている（例えば、特許文献１参照）。
【特許文献１】特許第３０３００２２号公報
【発明の開示】
【発明が解決しようとする課題】
【０００３】
しかしながら、上述した従来の自然エネルギ利用の換気システムでは、地熱を利用した
給気エアの給気経路は地中からの一つしかなかった。このため、日中の時間経過における
外気温度と地熱との関係の変化に対応できなかった。
【０００４】
例えば、冬の昼間は外気よりも地熱の方が冷たい状態が発生していた。このような時間
帯には、外気を建物内に給気していたが、この時間においては省エネルギにはならない問
題があった。
【０００５】
本発明は、太陽光と地熱との両方の特徴を組み合わせた自然力を利用して建物の温度調
節を図った自然エネルギ利用の換気システムを提供することを目的とする。
【課題を解決するための手段】
【０００６】
本発明は、上述事情に鑑みなされたものであって、請求項１に記載の発明は、建物の内
外に連通する第１の通風路が内部に形成され且つ外壁面が太陽光により加熱されることに
より前記第１の通風路内の空気を加熱可能なソーラーウォールと、前記建物の内外に連通
する第２の通風路が内部に形成され且つ地中に熱交換部を有する地熱チューブと、前記第
１，第２の通風路と前記建物内とを連通させる第３の通風路と、前記第３の風路と前記第
１，第２の通風路との間に介装された切換弁と、前記第１，第２の通風路に導入される外
気を前記第３の通風路を介して前記建物内に送風する送風手段と、前記送風手段により前
記第１の通風路を介して前記建物内に給気されるウォール側給気エアの温度を検出する第
１の温度センサと、前記送風手段により前記第２の通風路を介して前記建物内に給気され
る地熱側給気エアの温度を検出する第２の温度センサと、前記各温度センサからの検出温
度に基づいて前記切換弁及び前記送風手段を作動制御する制御手段と、前記制御手段に前
記建物内の目標温度を入力する温度設定手段を有する自然エネルギ利用の換気システムで
あって、前記制御手段が、前記各温度センサにより検出された温度に基づいて前記建物内
の温度が目標温度になるように前記切換弁及び前記送風手段を作動制御して、前記ウォー
ル側給気エア又は地熱側給気エアの一方、若しくは前記ウォール側給気エア及び地熱側給
気エアの混合気を前記建物内に給気することを特徴としている。
【０００７】
このように構成された請求項１に記載の発明では、ソーラーウォールからのウォール側
給気エアを第１の温度センサにより検出し、地熱チューブからの地熱側給気エアを第２の
温度センサにより検出して、各検出温度に基づいて建物内の温度が目標温度になるように
切替弁及び送風手段を作動制御して、ウォール側給気エア又は地熱側給気エアの一方を建
物内に給気しているので、太陽熱及び地熱の両方を選択的に有効に利用することができて
、建物の空調負荷を軽減することができる。
【０００８】
また、請求項２に記載の発明は、前記制御手段が、前記各温度センサにより検出された
温度に基づいて前記建物内の温度が目標温度になるように前記切換弁及び前記送風手段を
作動制御して、冬季には高い方の給気を屋内に導き、夏季には低い方の給気を屋内に導く
ことを特徴としている。
【０００９】
このように構成された請求項２に記載の発明では、各温度センサによる温度の検出結果
に基づいて、冬季には高い方の給気を屋内に導き、夏季には低い方の給気を屋内に導くこ
とができるので、建物の空調負荷を軽減することができる。
【００１０】
また、請求項３発明は、前記制御手段が、一日の時間の経過に応じて前記各温度センサ
により検出された温度に基づいて前記建物内の温度が目標温度になるように前記切換弁及
び前記送風手段を作動制御して、冬季には高い方の給気を屋内に導き、夏季には低い方の
給気を屋内に導くことを特徴としている。
【００１１】
このように構成された請求項３に記載の発明では、一日の時間の経過に応じて各温度セ
ンサによる温度の検出結果に基づいて、冬季には高い方の給気を屋内に導き、夏季には低
い方の給気を屋内に導くことができるので、建物の空調負荷を軽減することができる。
【００１２】
また、請求項４に記載の発明は、建物の内外に連通する第１の通風路が内部に形成され
且つ外壁面が太陽光により加熱されることにより前記第１の通風路内の空気を加熱可能な
ソーラーウォールと、前記建物の内外に連通する第２の通風路が内部に形成され且つ地中
に熱交換部を有する地熱チューブと、前記第１の通風路に導入される外気を前記建物内に
送風する第１の送風手段と、前記第２の通風路に導入される外気を前記建物内に送風する
第２の送風手段と、前記送風手段により前記第１の通風路を介して前記建物内に給気され
るウォール側給気エアの温度を検出する第１の温度センサと、前記送風手段により前記第
２の通風路を介して前記建物内に給気される地熱側給気エアの温度を検出する第２の温度
センサと、前記各温度センサからの検出温度に基づいて前記第１，第２の送風手段を作動
制御する制御手段と、前記制御手段に前記建物内の目標温度を入力する温度設定手段を有
する自然エネルギ利用の換気システムであって、前記制御手段が、前記各温度センサによ
り検出された温度に基づいて前記建物内の温度が目標温度になるように前記第１，第２の
送風手段を作動制御して、前記ウォール側給気エア又は地熱側給気エアの一方、若しくは
前記ウォール側給気エア及び地熱側給気エアの混合気を前記建物内に給気することを特徴
としている。
【００１３】
このように構成された請求項４に記載の発明では、ソーラーウォールからのウォール側
給気エアを第１の温度センサにより検出し、地熱チューブからの地熱側給気エアを第２の
温度センサにより検出して、各検出温度に基づいて建物内の温度が目標温度になるように
送風手段を作動制御して、ウォール側給気エア又は地熱側給気エアの一方を建物内に給気
しているので、太陽熱及び地熱の両方を選択的に有効に利用することができて、建物の空
調負荷を軽減することができる。
【００１４】
さらに、第１の通風路と第２の通風路とは、それぞれ独立して建物１内に延出している
ため、地熱チューブからの地熱側給気エアを建物に給気する第２の送風手段を第１の送風
手段に影響されることなく建物の任意の位置に配置することができる。
【００１５】
また、請求項５に記載の発明は、建物の内外に連通する第１の通風路が内部に形成され
且つ外壁面が太陽光により加熱されることにより前記第１の通風路内の空気を加熱可能な
ソーラーウォールと、前記建物の内外に連通する第２の通風路が内部に形成され且つ地中
に熱交換部を有する地熱チューブと、前記第１，第２の通風路と前記建物内とを連通させ
る第３の風路と、前記第３の風路と前記第１，第２の通風路との間に介装された切換弁と
、前記第１，第２の通風路に導入される外気を前記第３の通風路を介して前記建物内に送
風する第１の送風手段と、前記第２の通風路の前記切換弁側の端部に設けられて外気に連
通する分岐風路と、前記分岐風路途中に設けられた開閉弁と、前記分岐風路のエアを外気
に送風する第２の送風手段と、前記送風手段により前記第１の通風路を介して前記建物内
に給気されるウォール側給気エアの温度を検出する第１の温度センサと、前記送風手段に
より前記第２の通風路を介して前記建物内に給気される地熱側給気エアの温度を検出する
第２の温度センサと、前記各温度センサからの検出温度に基づいて前記開閉弁及び前記送
風手段を作動制御する制御手段と、前記制御手段に前記建物内の目標温度を入力する温度
設定手段を有する自然エネルギ利用の換気システムであって、前記制御手段が、前記各温
度センサにより検出された温度に基づいて前記建物内の温度が目標温度になるように前記
切換弁，前記開閉弁及び前記送風手段を作動制御して、前記ウォール側給気エア又は地熱
側給気エアの一方、若しくは前記ウォール側給気エア及び地熱側給気エアの混合気を前記
建物内に給気可能に設けられていると共に、前記切換弁で第２の通風路の建物内への連通
を遮断し且つ前記開閉弁を開いて前記第２の送風手段を作動制御することにより、前記外
気を地熱チューブ内に循環させて地面内に蓄熱可能に設けられていることを特徴としてい
る。
【００１６】
このように構成された請求項５に記載の発明では、ソーラーウォールからのソーラーウ
ォール側給気エアが建物内に給気されていて、地熱チューブによる給気が行われていない
ときに、地熱チューブに外気を循環させるようにしたので、例えば冬季には地熱チューブ
により地中を暖めかつ夏季には地中を冷却して、地熱チューブによる地中温度の利用効率
を向上させることができる。
【００１７】
また、請求項６に記載の発明は、建物の内外に連通する第１の通風路が内部に形成され
且つ外壁面が太陽光により加熱されることにより前記第１の通風路内の空気を加熱可能な
ソーラーウォールと、前記建物の内外に連通する第２の通風路が内部に形成され且つ地中
に熱交換部を有する地熱チューブと、前記地熱チューブの建物側端部に形成されて前記建
物内に連通する第１分岐風路及び外気に連通する第２分岐風路と、前記第１の通風路に導
入される外気を前記建物内に送風する第１の送風手段と、前記第２の通風路に導入される
外気を前記分岐風路に送風する第２の送風手段と、前記各分岐風路にそれぞれ設けられた
第１，第２の開閉弁と、前記送風手段により前記第１の通風路を介して前記建物内に給気
されるウォール側給気エアの温度を検出する第１の温度センサと、前記送風手段により前
記第２の通風路を介して前記建物内に給気される地熱側給気エアの温度を検出する第２の
温度センサと、前記各温度センサからの検出温度に基づいて前記第１，第２開閉弁と前記
第１，第２の送風手段を作動制御する制御手段と、前記制御手段に前記建物内の目標温度
を入力する温度設定手段を有する自然エネルギ利用の換気システムであって、前記制御手
段が、前記各温度センサにより検出された温度に基づいて前記建物内の温度が目標温度に
なるように前記開閉弁及び前記第１，第２の送風手段を作動制御して、前記ウォール側給
気エア又は地熱側給気エアの一方、若しくは前記ウォール側給気エア及び地熱側給気エア
の混合気を前記建物内に給気可能に設けられていると共に、前記第１開閉弁を閉成し且つ
第２開閉弁を開いて前記第２の送風手段を作動制御することにより、前記外気を地熱チュ
ーブ内に循環させて地面内に蓄熱可能に設けられていることを特徴としている。
【００１８】
このように構成された請求項６に記載の発明では、第１の通風路と第２の通風路とは、
それぞれ独立して建物内に延出しているため、地熱チューブからの地熱側給気エアを建物
に給気する第２の送風手段を第１の送風手段に影響されることなく建物の任意の位置に配
置することができる。
【００１９】
さらに、ソーラーウォールからのソーラーウォール側給気エアが建物内に給気されてい
て、地熱チューブによる給気が行われていないときに、地熱チューブに外気を循環させる
ようにしたので、例えば冬季には地熱チューブにより地中を暖めかつ夏季には地中を冷却
して、地熱チューブによる地中温度の利用効率を向上させることができる。
【発明の効果】
【００２０】
請求項１に記載の発明によれば、ソーラーウォールからのウォール側給気エアを第１の
温度センサにより検出し、地熱チューブからの地熱側給気エアを第２の温度センサにより
検出して、各検出温度に基づいて建物内の温度が目標温度になるように切替弁及び送風手
段を作動制御して、ウォール側給気エア又は地熱側給気エアの一方を建物内に給気してい
るので、太陽熱及び地熱の両方を選択的に有効に利用することができて、建物の空調負荷
を軽減することができる。
【００２１】
また、請求項２に記載の発明によれば、各温度センサによる温度の検出結果に基づいて
、冬季には高い方の給気を屋内に導き、夏季には低い方の給気を屋内に導くことができる
ので、建物の空調負荷を軽減することができる。
【００２２】
また、請求項３に記載の発明によれば、一日の時間の経過に応じて各温度センサによる
温度の検出結果に基づいて、冬季には高い方の給気を屋内に導き、夏季には低い方の給気
を屋内に導くことができるので、建物の空調負荷を軽減することができる。
【００２３】
また、請求項４に記載の発明によれば、ソーラーウォールからのウォール側給気エアを
第１の温度センサにより検出し、地熱チューブからの地熱側給気エアを第２の温度センサ
により検出して、各検出温度に基づいて建物内の温度が目標温度になるように切替弁及び
送風手段を作動制御して、ウォール側給気エア又は地熱側給気エアの一方を建物内に給気
しているので、太陽熱及び地熱の両方を選択的に有効に利用することができて、建物の空
調負荷を軽減することができる。
【００２４】
さらに、第１の通風路と第２の通風路とは、それぞれ独立して建物内に延出しているた
め、地熱チューブからの地熱側給気エアを建物に給気する第２の送風手段を第１の送風手
段に影響されることなく建物の任意の位置に配置することができる。
【００２５】
また、請求項５に記載の発明によれば、ソーラーウォールからのソーラーウォール側給
気エアが建物内に給気されていて、地熱チューブによる給気が行われていないときに、地
熱チューブに外気を循環させるようにしたので、例えば冬季には地熱チューブにより地中
を暖めかつ夏季には地中を冷却して、地熱チューブによる地中温度の利用効率を向上させ
ることができる。
【００２６】
また、請求項６に記載の発明によれば、第１の通風路と第２の通風路とは、それぞれ独
立して建物内に延出しているため、地熱チューブからの地熱側給気エアを建物に給気する
第２の送風手段を第１の送風手段に影響されることなく建物の任意の位置に配置すること
ができる。
【００２７】
さらに、ソーラーウォールからのソーラーウォール側給気エアが建物内に給気されてい
て、地熱チューブによる給気が行われていないときに、地熱チューブに外気を循環させる
ようにしたので、例えば冬季には地熱チューブにより地中を暖めかつ夏季には地中を冷却
して、地熱チューブによる地中温度の利用効率を向上させることができる。
【発明を実施するための最良の形態】
【００２８】
以下、本発明の実施例を図面に基づいて説明する。
【実施例１】
【００２９】
図１において、１は住宅等の建物を概略的に示しており、この建物１の外壁面２に沿っ
て中空のソーラーウォール３が取り付けられている。なお、ソーラーウォール３は、図示
及び説明の便宜上、建物１の外壁面２から離隔した状態で図示している。
【００３０】
また、前記外壁面２と反対側の外壁２ａの上部には排気手段としての排気口２ｂが設け
られている。なお、前記排気手段としては、排気口２ｂの他に排気ファン（図示せず）で
あってもよい。
【００３１】
ソーラーウォール３は、外壁面を構成する外側のアルミパネル４と内側のアルミパネル
５とを含んで箱状をなす外壁パネル６を備えている。なお、６ａは、外側のアルミパネル
４と内側のアルミパネル５との間の風路である。
【００３２】
この外壁パネル６の外側には、集熱効果を上げるために透明なガラス７が配設されてい
る。なお、ガラス７は省くこともできる。このガラス７と前記外壁パネル６との間の空間
６ｂの下部には、外気を矢印８ａから吸入可能な開口部８が形成されている。
【００３３】
図２（Ａ）は、図１におけるソーラーウォール３のＡ部の拡大図を示している。同図に
示すように、ソーラーウォール３の外壁パネル６には複数の穴９が設けられている。太陽
光１０は、ソーラーウォール３のガラス７側に当たって、外壁パネル６を暖め、空気と熱
交換しながら外壁パネル６内の空間６ａ及び外壁パネル６とガラス７間の空間６ｂ内の空
気を暖めるようになっている。このとき、ガラス７があると熱が逃げずに集熱効率があが
る。
【００３４】
また、ソーラーウォール３の外壁パネル６の上部には内部に風路１１ａが形成されてい
るソーラーチューブ１２が取り付けられている。ここで、前記外壁パネル６の風路６ａと
前記ソーラーチューブ１２の風路１１ａとにより第１の通風路１１が構成されている。前
記第１の通風路１１は、建物１は室内１ａと建物１の外部とに連通可能になっている。
【００３５】
前記第１の通風路１１内のソーラーウォール側給気エア１３は、後述する送風ファン２
５により矢印８ａ方向に吸引されるようになっている。ソーラーウォール３が太陽光１０
により暖められると、外側のアルミパネル４及び外壁パネル６間のエアは穴９を通って外
壁パネル６内に入ると共にさらに上部側からソーラーチューブ１２内を吸引されていくよ
うになっている。
【００３６】
また、地中１５には地熱チューブ１６が埋設されている。この地熱チューブ１６の一端
部１７は地表面１８から延出し、他端部１９は地表面１８から延出して前記ソーラーチュ
ーブ１２に合流部２０において合流している。地熱チューブ１６は、第２の通風路２１を
内部に形成されていると共に、地中１５に埋設されている部分が熱交換部２２を有してい
る。
【００３７】
前記合流部２０には第３の通風路２３を内部に形成されているチューブ２４が接続され
ている。このチューブ２４の端部は前記建物１の室内１ａ内に延出していると共に、チュ
ーブ２４の端部には送風手段として送風ファン２５とこれを駆動するモータＭ１とがそれ
ぞれ設けられている。
【００３８】
また、前記合流部２０には、図２（Ｂ）に示すように切換弁２６とこれを駆動するソレ
ノイドＬ１がそれぞれ設けられている。ソレノイドＳＬ１が図示の実線の位置にあるとき
には、地熱チューブ１６からの地熱側給気エア２７が送風ファン２５により吸引されて建
物１内に送風される。なお、送風ファン２５は建物１の壁に設けた換気扇などであっても
よい。
【００３９】
ソーラーチューブ１２内にはソーラーウォール側給気エア１３の温度を検出するための
第１の温度センサ２８が配設され、また地熱チューブ１６の一端部１７内には地熱側給気
エア２７の温度を検出するため第２の温度センサ２９がそれぞれ配設されている。
【００４０】
図３は上述した換気システムの制御に係わるブロック図を示している。そして、３０は
制御手段としてのマイクロコンピュータを示している。
【００４１】
前記第１の温度センサ２８及び第２の温度センサ２９によりそれぞれ検出された温度は
、比較器３１により比較されて、冬季には温度の高い方のソーラーウォール側給気エア１
３又は地熱側給気エア２７が選択されるようにマイクロコンピュータ３０に入力される。
【００４２】
また、建物１の目標温度は目標温度設定手段３２により設定されてマイクロコンピュー
タ３０に入力される。そして、前記ソーラーウォール側給気エア１３又は地熱側給気エア
２７は、設定された目標温度になるように建物１内に給気される。前記マイクロコンピュ
ータ３０からは、前記ソレノイドＳＬ１及びモータＭ１に作動信号がそれぞれ出力される
。
【００４３】
［作用］
次に、上述のように構成された実施例１に係わる自然エネルギ利用の換気システムの作
用について説明する。
【００４４】
図１において、太陽光１０がソーラーウォール３に入射すると、ソーラーウォール３の
温度は外気よりも上昇していく。図４は、ソーラーウォール３の給気温度の関係を示して
いる。
【００４５】
ソーラーウォール３を通過する外気の出口温度５２と入口温度５３とは図４のように時
間と共に変化している。その他、温度差５４、日射量５５、平均温度５６、熱取得率（水
平）５７、熱取得率（垂直）５８等はそれぞれ図４に示すように変化している。
【００４６】
図４に示すように、８時頃から１７時半頃までは出口温度５２が入口温度５３よりも高
い温度になっているので、この時間帯の出口温度５２と入口温度５３で囲まれた部分（矢
印６０で示す部分）がソーラーウォール３により集熱された熱源を示している。
【００４７】
例えば、冬季の換気システムを行う場合において、ソーラーウォール３からのソーラー
ウォール側給気エア１３の温度は第１の温度センサ２８により検出され、地熱チューブ１
６からの地熱側給気エア２７の温度は第２の温度センサ２９により検出される。
【００４８】
そして、各検出された温度は図３に示す比較器３１により比較され、冬季には温度の高
い方のソーラーウォール側給気エア１３又は地熱側給気エア２７が選択されてマイクロコ
ンピュータ３０に入力される。
【００４９】
例えば、ソーラーウォール側給気エア１３の温度が地熱側給気エア２７の温度よりも高
い場合には、マイクロコンピュータ３０はソレノイドＳＬ１を作動制御して切換弁２６を
破線位置に切り替える。これにより、ソーラーウォール３からのソーラーウォール側給気
エア１３が第３の通風路２３を介して建物１内に給気される。
【００５０】
建物１内は目標温度設定手段３２により目標温度が設定されており、建物１に対するソ
ーラーウォール側給気エア１３の給気は、この目標温度になるまで継続される。
【００５１】
また、夏季には第１，第２の温度センサ２８、２９により検出された各温度の低い方の
ソーラーウォール側給気エア１３又は地熱側給気エア２７が比較器３１により選択されて
建物１内に供給される。
【００５２】
ソーラーウォール３は、夏季において送風ファン２５を停止して、ソーラーウォール３
の両アルミパネル４，５と建物１の外壁との間に空気層を作ることで、建物１内への流入
熱を抑さえ建物１の冷房負荷を低減することができる。また、夏の夜等は、送風ファン２
５を回転させることでソーラーウォール３の放射冷却による涼しい外気を建物１内に取り
入れることができる。
【００５３】
このように、冬季及び夏季においてソーラーウォール３のソーラーウォール側給気エア
１３及び地熱チューブ１６の地熱側給気エア２７を、第１，第２の温度センサ２８、２９
によりモニタリングすることで、冬季には高い方のソーラーウォール側給気エア１３又は
地熱側給気エア２７の給気エアを、夏季には低い方の給気エアを建物１内に取り入れるこ
とができて、建物１内の室内温度を均一化できると共に室内空気環境を向上させることが
できる。
【００５４】
図５は、冬季の一日の時間経過に応じたソーラーウォール給気温度、地熱給気温度、外
気温度及び地熱温度の変化の状態を示している。前記ソーラーウォール給気温度は、ソー
ラーウォール３から給気されるソーラーウォール側給気エア１３の温度であり、地熱給気
温度は地熱チューブ１６から給気される地熱側給気エア２７の温度である。
【００５５】
図５に示すように、日中はソーラーウォール３（図１参照）からのソーラーウォール給
気温度が地熱チューブ１６からの地熱給気温度よりも高くなっている。この状態は、第１
，第２の温度センサ２８、２９によりモニタリングされているので、冬季の日中はソーラ
ーウォール３からのソーラーウォール側給気エア１３が建物１内に給気される。
【００５６】
また、朝又は夜は地熱給気温度の方がソーラーウォール給気温度よりも高くなっている
ので、この時間帯は地熱チューブ１６（図１参照）からの地熱側給気エア２７が建物１内
に給気される。
【００５７】
なお、夏季においては、一日の時間の経過に応じて第１，第２の温度センサ２８、２９
によりモニタリングされたソーラーウォール側給気エア１３又は地熱側給気エア２７の温
度の低い方が建物１内に給気される。
【００５８】
このように、冬季及び夏季等の季節によってソーラーウォール３又は地熱チューブ１６
の自然エネルギを利用するほかに、一日の温度の経時変化に応じてソーラーウォール３の
太陽熱又は地熱チューブ１６の地熱等の自然エネルギを有効に利用することで、暖房又は
冷房等の空調費を大幅に削減することができる。
【実施例２】
【００５９】
次に、本発明の実施例２を図６に基づいて説明する。なお、実施例１に示すものと同様
の機能のものは同じ符号を付してその説明は省略する。
【００６０】
図１において、地熱チューブ１６の他端部１９から分岐して分岐風路３４が内部に形成
されている分岐チューブ３５が設けられている。この分岐チューブ３５の端部は外気に開
放している。前記送風ファン２５は第１の送風手段とする。
【００６１】
この分岐チューブ３５には、第２の送風手段としての送風ファン３６とこれを駆動する
モータＭ２がそれぞれ設けられている。さらに、前記送風ファン３６の下流側には、分岐
チューブ３５を開閉するための開閉弁３７とこれを駆動するためのソレノイドＳＬ２がそ
れぞれ設けられている。
【００６２】
此等のモータＭ２及びソレノイドＳＬ２は、図３におけるマイクロコンピュータ３０に
よりそれぞれ作動制御されるようになっている。
【００６３】
前記分岐チューブ３５及び送風ファン３６、開閉弁３７等は、ソーラーウォール３から
ソーラーウォール側給気エア１３が建物１内に給気されて、地熱チューブ１６の空調作用
が停止状態にあるとき、開閉弁３７を開放すると共に送風ファン３６を駆動させることで
、一端部１７から吸引された地熱側給気エア２７が分岐チューブ３５から外気に吹き出さ
れる。
【００６４】
すなわち、地熱チューブ１６内に外気を循環させることができる。この外気の循環によ
り、地熱チューブ１６の熱交換部２２を介して地中１５を冬季には暖め、夏季には冷やす
ことができる。
【００６５】
［作用］
次に、実施例２に係わる自然エネルギ利用の換気システムの作用について説明する。
【００６６】
図６に示す実施例２の換気システムにおいては、ソーラーウォール３からのソーラーウ
ォール側給気エア１３が建物１内に給気されている状態では、地熱チューブ１６は地熱を
利用していない状態にある。
【００６７】
そこで、ソレノイドＳＬ２により開閉弁３７を開くと共にモータＭ２を起動して送風フ
ァン３６を回転させることにより、一端部１７から吸引された外気は地熱チューブ１６を
循環して分岐チューブ３５の端部から外気に吹き出される。これにより、外気の温度は地
熱チューブ１６の熱交換部２２を介して地中１５に伝達される。
【００６８】
例えば、冬季においては、朝又は夜に冷たくなっている地中１５を、地熱チューブ１６
に外気を循環させることにより早く温度上昇させることができる。これにより、地熱チュ
ーブ１６による地熱の利用効率を向上させることができる。
【００６９】
また、夏季においては、日中に暖められた地中１５が夜になってもなかなか下がらない
が、地中１５よりも温度の低い外気を地熱チューブ１６に循環させることによって地中１
５の温度を早く低下させることができる。これにより、地熱チューブ１６により建物１内
を冷房する際に地熱の利用効率を向上させることができる。
【実施例３】
【００７０】
次に、本発明の実施例３を図７に基づいて説明する。なお、実施例１に示すものと同様
の機能のものは同じ符号を付してその説明は省略する。
【００７１】
本実施例では、ソーラーウォール３の外壁パネル６には、第１の通風路１１を内部に形
成されたソーラチューブ４０が接続されている。このソーラチューブ４０の端部は、単独
で建物１内に延出している。建物１内のソーラチューブ４０の端部には、第１の送風手段
としての送風ファン４２及びこれを駆動するためのモータＭ３がそれぞれ配設されている
。
【００７２】
ソーラチューブ４０内には、第１の通風路１１を開閉するための開閉弁４３とこれを駆
動するためのソレノイドＳＬ３がそれぞれ設けられている。また、開閉弁４３の上流側に
は、ソーラーウォール側給気エア１３の温度を検出するための第１の温度センサ２８が配
設されている。
【００７３】
地熱チューブ４１の他端部１９も前記ソーラチューブ４０と同様に建物１内に延出して
いる。建物１内の他端部１９には、第２の送風手段としての送風ファン４４及びこれを駆
動するためのモータＭ４がそれぞれ配設されているいる。
【００７４】
地熱チューブ４１の他端部１９内には、第２の通風路２１を開閉するための開閉弁４５
とこれを駆動するためのソレノイドＳＬ４がそれぞれ配設されている。また、開閉弁４５
の上流側には地熱チューブ４１の地熱側給気エア２７の温度を検出するための第２の温度
センサ２９が配設されている。
【００７５】
なお、地熱チューブ４１の他端部１９には、熱交換器４６を配設して、熱交換した給気
エアを建物１内に給気してもよい。
【００７６】
図８は、実施例３に係わる換気システムのブロック図を示している。
【００７７】
第１の温度センサ２８及び第２の温度センサ２９により検出されるソーラーウォール側
給気エア１３及び地熱側給気エア２７の温度を比較器３１により比較して建物１内に給気
される給気エアが選択される。
【００７８】
図７においては、開閉弁４５が閉じていると共に開閉弁４３が開いた状態にある。そし
て、一方の送風ファン４２が回転してソーラーウォール側給気エア１３を建物１内に給気
している状態を示している。
【００７９】
このように地熱チューブ４１用の送風ファン４４をソーラーウォール３用の送風ファン
４２から独立させたことにより、送風ファン４４を所望の位置に配設することができる。
また、送風ファン４２と送風ファン４４との容量の大きさを任意に選択することができる
。
【００８０】
［作用］
次に、実施例３に係わる自然エネルギ利用の換気システムの作用について説明する。
【００８１】
図７に示す実施例３においては、ソーラーウォール３からのソーラーウォール側給気エ
ア１３及び地熱チューブ４１からの地熱側給気エア２７は、実施例１と同様に第１，第２
の温度センサ２８、２９によりモニタリングされている。このため、冬季には温度の高い
方の給気が、夏季には温度の低い方の給気が選択されて建物１内に給気される。
【００８２】
この実施例３における換気システムでは、ソーラチューブ４０及び地熱チューブ４１の
他端部１９は、それぞれ独立して建物１内に延出している。このため、送風ファン４２は
ソーラチューブ４０を長くしないためにソーラーウォール３の近傍に配置する必要がある
が、地熱チューブ４１の送風ファン４４は地熱チューブ４１の他端部１９の位置に応じて
、すなわちソーラーウォール３の位置にされることなく建物１内の任意の位置に配置する
ことができる。
【実施例４】
【００８３】
次に、本発明の実施例４を図９に基づいて説明する。なお、実施例３に示すものと同様
の機能のものは同じ符号を付してその説明は省略する。
【００８４】
図９において、地熱チューブ４１の他端部１９からは、建物１内に連通する第１の分岐
風路４７と外気に連通する第２の分岐風路４８とに分岐されている。
【００８５】
第２の分岐風路４８を内部に形成されている分岐チューブ４９内には、地熱側給気エア
２７を外気に戻す送風ファン５０とこれを駆動するためのモータＭ５がそれぞれ配設され
ている。第１の分岐風路４７には第１の開閉弁４５が設けられている。
【００８６】
送風ファン５０の下流側には、第２の開閉弁５１とこれを駆動するためのソレノイドＳ
Ｌ５がそれぞれ設けられている。ここで、送風ファン４２及び送風ファン４４を第１の送
風手段とし、送風ファン５０を第２の送風手段とする。
【００８７】
図１０は、ソーラチューブ４０の開閉弁４３と、地熱チューブ４１の第１の分岐風路４
７の第１の開閉弁４５及び分岐チューブ４９の第２の開閉弁５１との開閉動作と、ソーラ
ーウォール側給気エア１３及び地熱側給気エア２７の流れの動作を示している。なお、図
１０においては、送風ファン５０及びモータＭ５等の図示は省略している。
【００８８】
図１０（Ａ）において、例えば夏季において開閉弁４３及び開閉弁５１が閉じると共に
開閉弁４５が開いて地熱側給気エア２７が建物１内に給気される状態を示している。
【００８９】
図１０（Ｂ）は例えば冬の昼において、開閉弁４５が閉じると共に開閉弁４３及び開閉
弁５１がそれぞれ開いてソーラーウォール側給気エア１３が建物１内に給気されると共に
地熱側給気エア２７が地熱チューブ４１（図９参照）を循環して地中１５を暖める状態を
示している。
【００９０】
図１０（Ｃ）は例えば、冬の夜及び朝において、開閉弁４３及び開閉弁５１がそれぞれ
閉じると共に開閉弁４５が開いて地熱側給気エア２７が建物１内に給気される状態を示し
ている。
【００９１】
［作用］
次に、実施例４に係わる自然エネルギ利用の換気システムの作用について説明する。
【００９２】
図９に示す実施例４においては、ソーラーウォール３のソーラーウォール側給気エア１
３が建物１内に給気されるときに、ソレノイドＳＬ５の作動により開閉弁５１を開くと共
にモータＭ５により送風ファン５０を回転させて地熱チューブ４１に外気を循環させてい
る。
【００９３】
このように、地熱利用をしていない地熱チューブ４１に外気を循環させることにより、
冬季には地中１５が暖められ夏季には地中１５が冷却されるので、地熱チューブ４１を用
いて建物１に給気するときに地熱の利用効率を向上させることができる。
【００９４】
なお、建物１内に対する給気エアの給気は、第１，第２の温度センサ２８、２９により
モニタリングされたソーラーウォール側給気エア１３又は地熱側給気エア２７の場合につ
いて説明したが、両給気エアの温度が等しい場合には、両給気エアの混合給気エアを建物
１内に給気することも可能である。
【００９５】
この場合、図２（Ｂ）におけるソレノイドＳＬ１と図７におけるソレノイドＳＬ３、Ｓ
Ｌ４等の代わりに図示しないモータを用いることで、建物１への混合給気エアを給気可能
になる。
【００９６】
また、上述した換気システムは、ソーラーウォール３又は地熱チューブ４１からの給気
に限らず、例えば、ヒートポンプへ利用したり、空調の補助に利用することも可能である
。
【００９７】
以上説明した本発明の実施の形態の自然エネルギ利用の換気システムは、建物（１）の
内外に連通する第１の通風（１１）が内部に形成され且つ外壁面（４）が太陽光により加
熱されることにより前記第１の通風路（１１）内の空気を加熱可能なソーラーウォール（
３）と、前記建物（１）の内外に連通する第２の通風路（２１）が内部に形成され且つ地
中（１５）に熱交換部（２２）を有する地熱チューブ（１６）と、前記第１，第２の通風
路（１１）（２１）と前記建物（１）内とを連通させる第３の通風路（２３）と、前記第
３の風路（２３）と前記第１，第２の通風路（１１）（２１）との間に介装された切換弁
（２６）と、前記第１，第２の通風路（１１）（２１）に導入される外気を前記第３の通
風路（２３）を介して前記建物（１）内に送風する送風手段（２５）とを有している。さ
らに、前記換気システムは、前記送風手段（２５）により前記第１の通風路（１１）を介
して前記建物（１）内に給気されるウォール側給気エア（１３）の温度を検出する第１の
温度センサ(２８）と、前記送風手段（２５）により前記第２の通風路（２１）を介して
前記建物（１）内に給気される地熱側給気エア（２７）の温度を検出する第２の温度セン
サ(２９）と、前記各温度センサ(２８）(２９）からの検出温度に基づいて前記切換弁（
２６）及び前記送風手段（２５）を作動制御する制御手段（３０）と、前記制御手段（２
０）に前記建物（１）内の目標温度を入力する温度設定手段（３２）を有している。
【００９８】
そして、前記制御手段（３０）は、前記各温度センサ(２８）(２９）により検出された
温度に基づいて前記建物（１）内の温度が目標温度になるように前記切換弁（１６）及び
前記送風手段（２５）を作動制御して、前記ウォール側給気エア（１３）又は地熱側給気
エア（２７）の一方、若しくは前記ウォール側給気エア（１３）及び地熱側給気エア（２
７）の混合気を前記建物（１）内に給気する。
【００９９】
この構成によれば、ソーラーウォール（３）からのウォール側給気エア（１３）を第１
の温度センサ(２８）により検出し、地熱チューブ（１６）からの地熱側給気エア（２７
）を第２の温度センサ(２９）により検出して、各検出温度に基づいて建物（１）内の温
度が目標温度になるように切替弁（２６）及び送風手段（２５）を作動制御して、ウォー
ル側給気エア（１３）又は地熱側給気エア（２７）の一方を建物内に給気しているので、
太陽熱及び地熱の両方を選択的に有効に利用することができて、建物（１）の空調負荷を
軽減することができる。
【０１００】
また、この発明の実施の形態の自然エネルギ利用の換気システムは、前記制御手段（３
０）は、前記各温度センサ(２８）(２９）により検出された温度に基づいて前記建物（１
）内の温度が目標温度になるように前記切換弁（２６）及び前記送風手段（２５）を作動
制御して、冬季には高い方の給気を屋内に導き、夏季には低い方の給気を屋内に導く。
【０１０１】
この構成によれば、各温度センサ(２８）(２９）による温度の検出結果に基づいて、冬
季には高い方の給気を屋内に導き、夏季には低い方の給気を屋内に導くことができるので
、建物（１）の空調負荷を軽減することができる。
【０１０２】
また、この発明の実施の形態の自然エネルギ利用の換気システムは、前記制御手段（３
０）は、一日の時間の経過に応じて前記各温度センサ(２８）(２９）により検出された温
度に基づいて前記建物（１）内の温度が目標温度になるように前記切換弁（２６）及び前
記送風手段（２５）を作動制御して、冬季には高い方の給気を屋内に導き、夏季には低い
方の給気を屋内に導く。
【０１０３】
この構成によれば、一日の時間の経過に応じて各温度センサ(２８）(２９）による温度
の検出結果に基づいて、冬季には高い方の給気を屋内に導き、夏季には低い方の給気を屋
内に導くことができるので、建物（１）の空調負荷を軽減することができる。
【０１０４】
また、この発明の実施の形態の自然エネルギ利用の換気システムは、建物（１）の内外
に連通する第１の通風路（１１）が内部に形成され且つ外壁面（４）が太陽光により加熱
されることにより前記第１の通風路（１１）内の空気を加熱可能なソーラーウォール（３
）と、前記建物（１）の内外に連通する第２の通風路（２１）が内部に形成され且つ地中
（１５）に熱交換部（２２）を有する地熱チューブ（４１）と、前記第１の通風路（１１
）に導入される外気を前記建物（１）内に送風する第１の送風手段（４２）と、前記第２
の通風路（２１）に導入される外気を前記建物（１）内に送風する第２の送風手段（４４
）とを有している。さらに、この換気システムは、前記送風手段（４２）により前記第１
の通風路（１１）を介して前記建物（１）内に給気されるウォール側給気エア（１３）の
温度を検出する第１の温度センサ(２８）と、前記送風手段（４４）により前記第２の通
風路（２１）を介して前記建物（１）内に給気される地熱側給気エア（２７）の温度を検
出する第２の温度センサ(２９）と、前記各温度センサ(２８）(２９）からの検出温度に
基づいて前記第１，第２の送風手段（４２）（４４）を作動制御する制御手段（３０）と
、前記制御手段（３０）に前記建物（１）内の目標温度を入力する温度設定手段（３２）
を有している。
【０１０５】
そして、前記制御手段（３０）は、前記各温度センサ(２８）(２９）により検出された
温度に基づいて前記建物（１）内の温度が目標温度になるように前記第１，第２の送風手
段（４２）（４４）を作動制御して、前記ウォール側給気エア（１３）又は地熱側給気エ
ア（２７）の一方、若しくは前記ウォール側給気エアふぉインナー及び地熱側給気エア（
２７）の混合気を前記建物（１）内に給気する。
【０１０６】
この構成によれば、ソーラーウォール（３）からのウォール側給気エア（１３）を第１
の温度センサ(２８）により検出し、地熱チューブ（１６）からの地熱側給気エア（２７
）を第２の温度センサ(２９）により検出して、各検出温度に基づいて建物（１）内の温
度が目標温度になるように送風手段（４２）（４４）を作動制御して、ウォール側給気エ
ア（１３）又は地熱側給気エア（２７）の一方を建物（１）内に給気しているので、太陽
熱及び地熱の両方を選択的に有効に利用することができて、建物（１）の空調負荷を軽減
することができる。
【０１０７】
さらに、第１の通風路（１１）と第２の通風路（２１）とは、それぞれ独立して建物（
１）内に延出しているため、地熱チューブ（４１）からの地熱側給気エア（２７）を建物
（１）に給気する第２の送風手段（４４）を第１の送風手段（４２）に影響されることな
く建物（１）の任意の位置に配置することができる。
【０１０８】
また、この発明の実施の形態の自然エネルギ利用の換気システムは、建物（１）の内外
に連通する第１の通風路（１１）が内部に形成され且つ外壁面（４）が太陽光により加熱
されることにより前記第１の通風路（１１）内の空気を加熱可能なソーラーウォール（３
）と、前記建物（１）の内外に連通する第２の通風路（２１）が内部に形成され且つ地中
（１５）に熱交換部（２２）を有する地熱チューブ（１６）と、前記第１，第２の通風路
（１１）（２１）と前記建物（１）内とを連通させる第３の風路（２３）と、前記第３の
風路（２３）と前記第１，第２の通風路（１１）（２１）との間に介装された切換弁（１
６）と、前記第１，第２の通風路（１１）（２１）に導入される外気を前記第３の通風路
（２３）を介して前記建物（１）内に送風する第１の送風手段（２５）と、前記第２の通
風路（２１）の前記切換弁（２６）側の端部に設けられて外気に連通する分岐風路（３４
）と、前記分岐風路（３４）途中に設けられた開閉弁（３７）と、前記分岐風路（３４）
のエアを外気に送風する第２の送風手段（３６）とを有している。さらに、この換気シス
テムは、前記送風手段（２５）により前記第１の通風路（１１）を介して前記建物（１）
内に給気されるウォール側給気エア（１３）の温度を検出する第１の温度センサ(２８）
と、前記送風手段（３６）により前記第２の通風路（２１）を介して前記建物（１）内に
給気される地熱側給気エア（２７）の温度を検出する第２の温度センサ(２９）と、前記
各温度センサ(２８）(２９）からの検出温度に基づいて前記開閉弁（３７）及び前記送風
手段（２５）（３６）を作動制御する制御手段（３０）と、前記制御手段（３０）に前記
建物（１）内の目標温度を入力する温度設定手段（３２）を有している。
【０１０９】
そして、前記制御手段（３０）は、前記各温度センサ(２８）(２９）により検出された
温度に基づいて前記建物（１）内の温度が目標温度になるように前記切換弁（２６），前
記開閉弁（３７）及び前記送風手段（２５）（３６）を作動制御して、前記ウォール側給
気エア（１３）又は地熱側給気エア（２７）の一方、若しくは前記ウォール側給気エア（
１３）及び地熱側給気エア（２７）の混合気を前記建物（１）内に給気可能に設けられて
いると共に、前記切換弁（２６）で第２の通風路（２１）の建物（１）内への連通を遮断
し且つ前記開閉弁（３７）を開いて前記第２の送風手段（３６）を作動制御することによ
り、前記外気を地熱チューブ（１６）内に循環させて地面内に蓄熱可能に設けられている
。
【０１１０】
この構成によれば、ソーラーウォール（３）からのソーラーウォール側給気エア（１３
）が建物（１）内に給気されていて、地熱チューブ（１６）による給気が行われていない
ときに、地熱チューブ（１６）に外気を循環させるようにしたので、例えば冬季には地熱
チューブ（１６）により地中（１５）を暖めかつ夏季には地中（１５）を冷却して、地熱
チュー（１６）による地中温度の利用効率を向上させることができる。
【０１１１】
また、この発明の実施の形態の自然エネルギ利用の換気システムは、建物（１）の内外
に連通する第１の通風路ｌ（１１）が内部に形成され且つ外壁面（４）が太陽光により加
熱されることにより前記第１の通風路（１１）内の空気を加熱可能なソーラーウォール（
３）と、前記建物（１）の内外に連通する第２の通風路（２１）が内部に形成され且つ地
中（１５）に熱交換部（２２）を有する地熱チューブ（４１）と、前記地熱チューブ（４
１）の建物（１）側端部に形成されて前記建物（１）内に連通する第１分岐風路（４７）
及び外気に連通する第２分岐風路（４８）と、前記第１の通風路（１１）に導入される外
気を前記建物（１）内に送風する第１の送風手段（４２）と、前記第２の通風路（２１）
に導入される外気を前記分岐風路（４８）に送風する第２の送風手段（５０）と、前記各
分岐風路（４７）（４８）にそれぞれ設けられた第１，第２の開閉弁（４５）（５１）と
を有している。さらに、この換気システムは、前記送風手段（４２）により前記第１の通
風路（１１）を介して前記建物（１）内に給気されるウォール側給気エア（１３）の温度
を検出する第１の温度センサ(２８）と、前記送風手段（４４）により前記第２の通風路
（２１）を介して前記建物（１）内に給気される地熱側給気エア（２７）の温度を検出す
る第２の温度センサ(２９）と、前記各温度センサ(２８）(２９）からの検出温度に基づ
いて前記第１，第２開閉弁（４５）（５１）と前記第１，第２の送風手段（４２）（５０
）を作動制御する制御手段（３０）と、前記制御手段（３０）に前記建物（１）内の目標
温度を入力する温度設定手段（３２）を有している。
【０１１２】
そして、前記制御手段（３０）は、前記各温度センサ(２８）(２９）により検出された
温度に基づいて前記建物（１）内の温度が目標温度になるように前記開閉弁（４５）（５
１）及び前記第１，第２の送風手段（４２）（５０）を作動制御して、前記ウォール側給
気エア（１３）又は地熱側給気エア（２７）の一方、若しくは前記ウォール側給気エア（
１３）及び地熱側給気エア（２７）の混合気を前記建物（１）内に給気可能に設けられて
いると共に、前記第１開閉弁（４５）を閉成し且つ第２開閉弁（５１）を開いて前記第２
の送風手段（５０）を作動制御することにより、前記外気を地熱チューブ内（４１）に循
環させて地面（１５）内に蓄熱可能に設けられている。
【０１１３】
この構成によれば、第１の通風路（１１）と第２の通風路（２１）とは、それぞれ独立
して建物（１）内に延出しているため、地熱チューブ（４１）からの地熱側給気エア（１
３）を建物（１）に給気する第２の送風手段（４４）を第１の送風手段（４２）に影響さ
れることなく建物（１）の任意の位置に配置することができる。
【０１１４】
さらに、ソーラーウォール（３）からのソーラーウォール側給気エア（１３）が建物（
１）内に給気されていて、地熱チューブ（４１）による給気が行われていないときに、地
熱チューブ（４１）に外気を循環させるようにしたので、例えば冬季には地熱チューブに
より地中（１５）を暖めかつ夏季には地中（１５）を冷却して、地熱チューブによる地中
温度の利用効率を向上させることができる。
【図面の簡単な説明】
【０１１５】
【図１】本発明の実施例１に係わる自然エネルギ利用の換気システムの縦断正面図である。
【図２】（Ａ）は図中におけるＡ部の拡大図、（Ｂ）は図１における合流部２０の詳細図である。
【図３】実施例１及び実施例２における換気システムの制御に係わるブロック図である。
【図４】ソーラーウォールの給気温度及び外気温度等の関係を示す図である。
【図５】一日の時刻におけるソーラーウォール給気温度及び地熱給気温度等の関係を示す図である。
【図６】本発明の実施例２に係わる換気システムの縦断正面図である。
【図７】本発明の実施例３に係わる換気システムの縦断正面図である。
【図８】本発明の実施例３及び実施例４における換気システムの制御に係わるブロック図である。
【図９】本発明の実施例４に係わる換気システムの縦断正面図である。
【図１０】図９における各開閉弁の動作と給気の作用を示す図である。
【符号の説明】
【０１１６】
１            建物
３            ソーラーウォール
４            外側のアルミパネル（外壁面）
６            外壁パネル
６ａ          外壁パネルの風路
１１          第１の通風路
１１ａ        ソーラーチューブの風路
１３          ソーラーウォール側給気エア
１６          地熱チューブ
２１          第２の通風路
２２          熱交換部
２３          第３の通風路
２５          送風ファン（送風手段）
２６          切換弁
２７          地熱側給気エア
２８          第１の温度センサ
２９          第２の温度センサ２９
３０          マイクロコンピュータ（制御手段）
３２          目標温度設定手段
３４          分岐風路
３６          送風ファン
３７          開閉弁
４１          地熱チューブ
４２          第１の送風ファン
４５          第１の開閉弁
４７          第１の分岐風路
４８          第２の分岐風路
５０          第２の送風ファン
５１          第２の開閉弁
【図１】
2005221101.tif 000003
【図２】
2005221101.tif 000004
【図３】
2005221101.tif 000005
【図４】
2005221101.tif 000006
【図５】
2005221101.tif 000007
【図６】
2005221101.tif 000008
【図７】
2005221101.tif 000009
【図８】
2005221101.tif 000010
【図９】
2005221101.tif 000011
【図１０】
2005221101.tif 000012